【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
２以上のフラッシュメモリデバイスが共通のデータバスに割り当てられ、バスライトサイクルにおいてバス毎の前記フラッシュメモリデバイスの２以上に格納のための情報データが逐次的に供給される、前記情報データをフラッシュメモリデバイスに書き込む際のライトエラーを処理する方法であって、
現在のバスライトサイクルにおいて、前記フラッシュメモリデバイスの少なくとも１つには、前記情報データの現在部分は格納のために供給されず、
前記情報データの現在部分を前記フラッシュメモリデバイスの現在のもののページに書き込み中にエラーが生じた場合、前記情報データの現在部分を非フラッシュメモリに書き込み、
以降のバスライトサイクル中、不具合のあるページを含む前記現在のフラッシュメモリデバイスが通常のアイドル状態であって、前記情報データの他のフラッシュメモリデバイスへの書き込みが実行中である間、前記非フラッシュメモリから前記現在のフラッシュメモリデバイスの仮の保存又は非欠陥ページに前記情報データの対応する格納された部分をコピーするためアイドルタイム期間を利用する、
ことを特徴とする方法。
【請求項２】
２以上のフラッシュメモリデバイスが共通のデータバスに割り当てられ、バスライトサイクルにおいてバス毎の前記フラッシュメモリデバイスの２以上に格納のための情報データが逐次的に供給される、前記情報データをフラッシュメモリデバイスに書き込む際のライトエラーを処理する方法であって、
現在のバスライトサイクルにおいて、前記フラッシュメモリデバイスの少なくとも１つには、前記情報データの現在部分は格納のために供給されず、
前記情報データの現在部分を前記フラッシュメモリデバイスの現在のフラッシュメモリデバイスのページに書き込み、前記情報データの現在部分を非フラッシュメモリにさらに書き込み、
前記情報データの現在部分を前記現在のフラッシュメモリデバイスのページへの書き込み中にエラーが生じた場合、以降のバスライトサイクル中、不具合のあるページを含む前記現在のフラッシュメモリデバイスが通常のアイドル状態であって、前記情報データの他のフラッシュメモリデバイスへの書き込みが実行中である間、前記非フラッシュメモリから前記現在のフラッシュメモリデバイスの仮の保存又は非欠陥ページに前記情報データの対応する格納された部分をコピーするためアイドルタイム期間を利用する、
ことを特徴とする方法。
【請求項３】
連続するバスライトサイクルの各バスライトサイクルにおいて、前記バス上の前記フラッシュメモリデバイスの異なる１つには、格納のため前記情報データの現在部分は供給されない、請求項１又は２記載の方法。
【請求項４】
前記非フラッシュメモリは、ＳＲＡＭメモリである、請求項１乃至３何れか一項記載の方法。
【請求項５】
前記フラッシュメモリデバイスは、キャッシュモードで動作する、請求項１乃至４何れか一項記載の方法。
【請求項６】
前記フラッシュメモリデバイスは、キャッシュモードでは動作せず、
３以上のフラッシュメモリデバイスが、前記共通のデータバスに割り当てられる、請求項１乃至５何れか一項記載の方法。
【請求項７】
情報データをフラッシュメモリデバイスに書き込む際のライトエラーを処理する装置であって、
ＦＩＦＯデバイスを介しアプリケーションデータを受信する少なくとも１つの共通のデータバスと、
前記データバスの各データバスに割り当てられた２以上のフラッシュメモリデバイスと少なくとも１つの非フラッシュメモリと、
を有し、
バスライトサイクルにおいて、バス毎に前記フラッシュメモリデバイスの２以上には、格納のため前記情報データが逐次的に供給され、
現在のバスライトサイクルにおいて、前記フラッシュメモリデバイスの少なくとも１つには、格納のため前記情報データの現在部分が供給されず、
前記情報データの現在部分を前記フラッシュメモリデバイスの現在のフラッシュメモリデバイスのページに書き込み中にエラーが生じた場合、前記情報データの現在部分が前記非フラッシュメモリに書き込まれ、
以降のバスライトサイクル中、不具合のページを含む前記現在のフラッシュメモリデバイスが通常のアイドル状態にあって、前記情報データの他のフラッシュメモリデバイスへの書き込みが実行中である間、前記非フラッシュメモリから前記現在のフラッシュメモリデバイスの仮の保存又は非欠陥ページに前記情報データの対応する格納されている部分をコピーするためアイドルタイム期間を利用する、
ことを特徴とする装置。
【請求項８】
情報データをフラッシュメモリデバイスに書き込む際のライトエラーを処理する装置であって、
ＦＩＦＯデバイスを介しアプリケーションデータを受信する少なくとも１つの共通のデータバスと、
前記データバスの各データバスに割り当てられた２以上のフラッシュメモリデバイスと少なくとも１つの非フラッシュメモリと、
を有し、
バスライトサイクルにおいて、バス毎の前記フラッシュメモリデバイスの２以上に、前記情報データが格納のために逐次的に供給され、
現在のバスライトサイクルにおいて、前記フラッシュメモリデバイスの少なくとも１つには、格納のため前記情報データの現在部分は供給されず、
前記情報データの現在部分は前記フラッシュメモリデバイスの現在のフラッシュメモリデバイスのページと非フラッシュメモリとに書き込まれ、
前記情報データの現在部分を前記現在のフラッシュメモリデバイスのページへの書き込み中にエラーが生じた場合、以降のバスライトサイクル中、不具合のあるページを含む前記現在のフラッシュメモリデバイスが通常のアイドル状態であって、前記情報データの他のフラッシュメモリデバイスへの書き込みが実行中である間、前記非フラッシュメモリから前記現在のフラッシュメモリデバイスの仮の保存又は非欠陥ページに前記情報データの対応する格納された部分をコピーするためアイドルタイム期間が利用される、
ことを特徴とする装置。
【請求項９】
連続するバスライトサイクルの各バスライトサイクルにおいて、前記バス上の前記フラッシュメモリデバイスの異なる１つには、格納のため前記情報データの現在部分は供給されない、請求項７又は８記載の装置。
【請求項１０】
前記非フラッシュメモリは、ＳＲＡＭメモリである、請求項７乃至９何れか一項記載の装置。
【請求項１１】
前記フラッシュメモリデバイスは、キャッシュモードで動作する、請求項７乃至１０何れか一項記載の装置。
【請求項１２】
前記フラッシュメモリデバイスは、キャッシュモードでは動作せず、
３以上のフラッシュメモリデバイスが、前記共通のデータバスに割り当てられる、請求項７乃至１０何れか一項記載の装置。
【手続補正２】
【補正対象書類名】明細書
【補正対象項目名】００２２
【補正方法】変更
【補正の内容】
【００２２】
図３は、一例となる（完了した）バスライトサイクルの連続するシーケンスを示す。各バスライトサイクルにおいて、異なるフラッシュデバイスがバスＢ上でアイドル状態であり、バスライトサイクル０においてＤｅｖｉｃｅ０から始まってバスライトサイクルＮにおいてＤｅｖｉｃｅＮで終了する。Ｎ＋１回のライトサイクルの後、各フラッシュデバイスはアイドル状態であった。
【手続補正３】
【補正対象書類名】図面
【補正対象項目名】図４
【補正方法】変更
【補正の内容】
【図４】
2011008790.tif 000001